(57)【要約】【課題】ウィッグを装着して乾燥等させる場合にウィッグを保持するためのホルダーとして使用でき、且つウィッグ保管用のホルダーとしても使用することができ、従って２種類のホルダーを準備する必要がなく、且つ保管時のスペースをとることもなく、携帯などにも便利であり、しかも人目に触れるおそれのないウィッグホルダーを提供することを課題とする。【解決手段】ウィッグの裏面側に装着してウィッグを保持することができる湾曲面を有し、且つウィッグを保持した状態で該ウィッグとともにウィッグケースに収納可能な大きさに形成されたホルダーボディと、該ホルダーボディに着脱自在に取り付けることのできるホルダーボディ取付部、及び該ホルダーボディ取付部とは反対側に設けられて、接地面に着脱自在に固定することのできる接地面固定部を有するホルダーアタッチメントとからなることを特徴とする。【選択図】  図１２
0003117707.tif 000002
【実用新案登録請求の範囲】
【請求項１】
ウィッグ（２７）の裏面側に装着してウィッグ（２７）を保持することができる湾曲面を有し、且つウィッグ（２７）を保持した状態で該ウィッグ（２７）とともにウィッグケース（２９）に収納可能な大きさに形成されたホルダーボディ（１）と、該ホルダーボディ（１）に着脱自在に取り付けることのできるホルダーボディ取付部、及び該ホルダーボディ取付部とは反対側に設けられて、接地面に着脱自在に固定することのできる接地面固定部を有するホルダーアタッチメント（２）とからなることを特徴とするウィッグホルダー。
【請求項２】
ホルダーアタッチメント（２）の接地面固定部が、接地面（２８）に吸着可能な吸盤（１２）である請求項１記載のウィッグホルダー。
【請求項３】
ホルダーアタッチメント（２）のホルダーボディ取付部が、ホルダーボディ（１）の外周縁に挟持可能なクリップ（１１）である請求項１又は２記載のウィッグホルダー。
【請求項４】
ホルダーボディ（１）に、ホルダーアタッチメント（２）のクリップ（１１）の先端部が挿入可能な孔が穿設されている請求項３記載のウィッグホルダー。
【請求項５】
クリップ（１１）が吸盤（１２）に傾倒自在に取り付けられている請求項３又は４記載のウィッグホルダー。
【請求項６】
ホルダーボディ（１）が可撓性素材からなる請求項１乃至５のいずれかに記載のウィッグホルダー。
【請求項７】
ホルダーボディ（１）に、ウィッグ（２７）の固定ピン（２５）が挿入可能な孔が穿設されている請求項１乃至６のいずれかに記載のウィッグホルダー。
【考案の詳細な説明】
【技術分野】
【０００１】
本考案はウィッグホルダー、さらに詳しくは、ウィッグ（かつら）を洗浄した後、乾燥させる際にウィッグを保持し、或いはウィッグをケースに収納して保管する際にウィッグを保持するためのウィッグホルダーであって、特に人毛を素材とするウィッグのためのウィッグホルダーに関する。
【背景技術】
【０００２】
従来より、ウィッグとしては種々のものが市販されているが、そのようなウィッグのほとんどは化学繊維からなるもので、どうしても自分のヘアスタイルに適合せず、毛髪が不自然であると着用者に感じさせることとなる。毛髪を自然に見せるためにはウィッグに自分のヘアスタイルを合わせなければならないこととなり、ヘアスタイルを自分の要望に合致させることを断念せざるを得ない現状となっている。このような場合、自分のヘアスタイルを変えると、ウィッグもそれに合わせて買い換えないと毛髪が不自然となる。そこで、ウィッグの毛髪を人毛で構成したものも開発されている。
【０００３】
ところで、このようなウィッグは、洗浄することが必要であり、洗浄後にウィッグの形を整えるため、ウィッグを保持するウィッグホルダーが必要になる。特にウィッグが人毛で構成されている場合には、ドライヤーをかけて乾燥させ、パーマを伸ばすためにブローセットし、或いはホットカーラーでカールを付けるようなことが行われている。
【０００４】
このため、従来ではホルダーにウィッグを装着して上記のような乾燥等が行われていた。しかし、従来のホルダーはマネキンの首の大きさ程度のものであり、保管
場所をとり、また重量があり、持ち運びにも不便なものとなっていた。また、このようなホルダーは大きいので目立ち、家族や来客者等、人目を気にしなければならないという問題もあった。
【０００５】
さらに、ウィッグの不使用時には、ウィッグの形崩れを防止するため専用のウィッグケースに収納して保管されるが、その際にもホルダーが必要であり、上記のような乾燥等用のホルダーとは別に保管用のホルダーを準備しなければならなかった。
【考案の開示】
【考案が解決しようとする課題】
【０００６】
本考案は、上述のような問題を解決するためになされたもので、ウィッグを装着して乾燥等させる場合にウィッグを保持するためのホルダーとして使用することができるとともに、ウィッグケースに収納して保管する場合におけるウィッグ保管用のホルダーとしても使用することができ、従って従来のように２種類のホルダーを準備する必要がなく、且つ保管時のスペースをとることもなく、携帯などにも便利であり、しかも人目に触れるおそれのないウィッグホルダーを提供することを課題とするものである。
【課題を解決するための手段】
【０００７】
本考案は、このような課題を解決するためになされたもので、請求項１記載の考案は、ウィッグ２７の裏面側に装着してウィッグ２７を保持することができる湾曲面を有し、且つウィッグ２７を保持した状態で該ウィッグ２７とともにウィッグケース２９に収納可能な大きさに形成されたホルダーボディ１と、該ホルダーボディ１に着脱自在に取り付けることのできるホルダーボディ取付部、及び該ホルダーボディ取付部とは反対側に設けられて、接地面に着脱自在に固定することのできる接地面固定部を有するホルダーアタッチメント２とからなることを特徴とする。
【０００８】
また、請求項２記載の考案は、請求項１記載のウィッグホルダーにおいて、ホルダーアタッチメント２の接地面固定部が、接地面２８に吸着可能な吸盤１２であることを特徴とする。さらに請求項３記載の考案は、請求項１又は２記載のウィッグホルダーにおいて、ホルダーアタッチメント２のホルダーボディ取付部が、ホルダーボディ１の外周縁に挟持可能なクリップ１１であることを特徴とする。
【０００９】
さらに請求項４記載の考案は、請求項３記載のウィッグホルダーにおいて、ホルダーボディ１に、ホルダーアタッチメント２のクリップ１１の先端部が挿入可能な孔が穿設されていることを特徴とする。さらに請求項５記載の考案は、請求項３又は４記載のウィッグホルダーにおいて、クリップ１１が吸盤１２に傾倒自在に取り付けられていることを特徴とする。さらに請求項６記載の考案は、請求項１乃至５のいずれかに記載のウィッグホルダーにおいて、ホルダーボディ１が可撓性素材からなることを特徴とする。さらに請求項７記載の考案は、請求項１乃至６のいずれかに記載のウィッグホルダーにおいて、ホルダーボディ１に、ウィッグ２７の固定ピン２５が挿入可能な孔が穿設されていることを特徴とする。
【考案の効果】
【００１０】
本考案は、上述のように、ウィッグの裏面側に装着してウィッグを保持することができる湾曲面を有し、且つウィッグを保持した状態で該ウィッグとともにウィッグケースに収納可能な大きさに形成されたホルダーボディと、該ホルダーボディに着脱自在に取り付けることのできるホルダーボディ取付部、及び該ホルダーボディ取付部とは反対側に設けられて、接地面に着脱自在に固定することのできる接地面固定部を有するホルダーアタッチメントとからなるものであるため、このようなホルダーボディとホルダーアタッチメントとからなるウィッグホルダーを用いて、洗浄後のウィッグを乾燥等する場合には、ホルダーボディの上面にウィッグの裏面側を接合させ、固定ピン等の固定手段によってウィッグをホルダーボディに固定し、このようにしてウィッグを装着したホルダーボディに、ホルダーアタッチメントのホルダーボディ取付部を取り付け、ホルダーアタッチメントの接地面固定部を接地面に固定することによって、接地面に固定されたホルダーアタッチメントを介してホルダーボディが位置決めされることとなる。
【００１１】
ウィッグはホルダーボディの上面側に装着されているので、上記のようにホルダーボディが位置決めされると、ホルダーアタッチメントの寸法分だけ接地面から隔てた距離にウィッグを位置決めすることができ、そのように位置決めされた状態で、ドライヤー等を用いてウィッグを乾燥させる作業を行なうことができる。
【００１２】
一方、このような乾燥を行なわず、単にウィッグを保管する場合には、ウィッグをホルダーボディから取り外し、ホルダーボディをホルダーアタッチメントから取り外すことによって、ウィッグを保管するためのウィッグケース内に、ウィッグの裏面側にホルダーボディを重ねた状態で収納することができる。
【００１３】
この場合において、ホルダーボディは、ウィッグを保持した状態で該ウィッグとともにウィッグケースに収納可能な大きさに形成されているため、ウィッグケース内に容易に収納することができ、コンパクトな状態で保管することができ、またウィッグとともにウィッグホルダーを携帯するのを容易に行なうことができる。
【００１４】
しかも、ウィッグを乾燥等させる作業を行なう場合には、上述のように接地面に接地させたホルダーアタッチメントにホルダーボディを取り付け、そのホルダーボディにウィッグを装着した状態で乾燥等の作業を行なうことができ、また保管時においてはホルダーアタッチメントから取り外してウィッグとともにホルダーボディをウィッグケース内に収納して保管することができるので、従来のように、ウィッグの乾燥等の作業を行なう場合のホルダーと、ウィッグケース内に保管する際に用いるホルダーとの２種類のホルダーを準備する必要がなく、１個のウィッグホルダーを乾燥等用と保管用との双方に用いることができるという効果がある。
【００１５】
さらに、ウィッグの乾燥等の作業にホルダーを用いた後も、そのホルダーをウィッグケース内に収納することができるので、従来のように乾燥用のホルダーをそのまま人目につくところに放置しなくてもよく、ウィッグを使用していることが人目につくもこともない。
【００１６】
さらに、ホルダーアタッチメントの接地面固定部が、接地面に吸着可能な吸盤である場合には、ホルダーアタッチメントを接地面に固定させる作業や取り外す作業をワンタッチで容易に行なうことができるという効果がある。
【００１７】
また、ホルダーアタッチメントのホルダーボディ取付部が、ホルダーボディの外周縁に挟持可能なクリップである場合には、ホルダーアタッチメントへのホルダーボディの着脱を、クリップによってワンタッチで容易に行なうことができるという効果がある。
【考案を実施するための最良の形態】
【００１８】
以下、本考案の実施形態について図面に従って説明する。
【００１９】
本実施形態のウィッグホルダーは、図１乃至７に示すようなホルダーボディ１と、図８乃至１０に示すようなホルダーアタッチメント２とからなるものである。
【００２０】
ホルダーボディ１は、図１乃至６に示すように、ウィッグの裏面側の形態に沿うように、全体が下向きに湾曲する湾曲面を有する浅い碗形に形成され、また全体が軟質合成樹脂であるポリプロピレンで構成されている。このように全体が軟質合成樹脂で構成されている結果、ホルダーボディ１は可撓性を有している。ここで、ホルダーボディ１の厚みは０．４〜０．７ｍｍが好ましい。０．４ｍｍより薄いと曲がり易いのでウィッグの形が維持できず、０．７ｍｍより厚いと、後述するウィッグの固定ピンが留まりにくいので、ウィッグが固定せず、ウィッグの形が維持できず、使用にも不便となるからである。
そして、上記のように下向きに湾曲する湾曲面を有して形成されることで、図５及び図６に示すように、ホルダーボディ１の下面側の全体に凹部３が形成されている。この凹部３は、前記ホルダーアタッチメント２が収容しうるようなスペースを有して形成されている。
【００２１】
ホルダーボディ１は、図７の展開図に示すように、ホルダーボディ１の中央部を形成する中央部形成片４と、ホルダーボディ１の縁部を形成する縁部形成片５ａ、５ｂとで構成されている。縁部形成片５ａ、５ｂは、前記中央部形成片４に前側及び後側の連設部６ａ、６ｂを介してそれぞれ左右に一対ずつ形成されている。また
縁部形成片５ａ、５ｂの先端側には、それぞれ差込片７ａ、７ｂが形成され、その差込片７ａ、７ｂが挿入可能な切込８ａ、８ｂが、前記中央部形成片４の所定位置に１対ずつ形成されている。
【００２２】
そして縁部形成片５ａ、５ｂと中央部形成片４とを湾曲させつつ、前記縁部形成片５ａ、５ｂの差込片７ａ、７ｂを、前記中央部形成片４の切込８ａ、８ｂに差し込むことによって、図１乃至図６に示すような浅い碗形のホルダーボディ１が形成されることとなるのである。
【００２３】
このように差込片７ａ、７ｂが切込８ａ、８ｂに差し込まれて碗形に組み立てられた状態において、ホルダーボディ１の前部側及び後部側には、固定ピン挿入孔９ａ、９ａ、９ｂ、９ｂが左右に１対ずつ形成されている。この固定ピン挿入孔９ａ、９ｂは、後述するウィッグの固定ピンを挿入してウィッグをホルダーボディ１に装着させるためのものである。
【００２４】
さらに、ホルダーボディ１の前部及び後部並びに両側方部には、クリップ挿入孔
１０ａ、１０ｂ、１０ｃ、１０ｄがそれぞれ  穿設されている。このクリップ挿入孔１０ａ、１０ｂ、１０ｃ、１０ｄは、後述するホルダーアタッチメント２のクリップを挿入してホルダーボディ１をホルダーアタッチメント２に取り付けるためのものである。
【００２５】
ホルダーアタッチメント２は、図８乃至１０に示すように、クリップ１１と吸盤１２とで構成されている。クリップ１１は、全体が硬質合成樹脂からなり（ポリエチレン、ポリプロピレン、アクリル樹脂等材質は問わない）、同図に示すように、左右１対の挟持片１３ａ、１３ｂで構成され、その先端部１５ａ、１５ｂ側が相互に内向きに付勢されるように金属製のバネ１４で止着されている。このようにバネ１４で付勢される結果、前記先端部１５ａ、１５ｂは、図９に示すように相互に接触した状態となっている。そして、このクリップ１１の先端部１５ａ、１５ｂが前記ホルダーボディ１のクリップ挿入孔１０ａ、１０ｂ、１０ｃ、１０ｄに挿入されることとなる。
【００２６】
クリップ１１の挟持片１３ａ、１３ｂには略長方形状の孔１６ａ、１６ｂがそれぞれ穿設されている。また一方の挟持片１３ａは他方の挟持片１３ｂよりもわずかに短く形成され、該一方の挟持片１３ａがわずかに傾倒した状態とされているのに対し、他方の挟持片１３ｂは真っ直ぐな状態とされている。そして、該他方の挟持片１３ｂの下面側には、突出部１７が下向きに突設されている。
【００２７】
吸盤１２は、全体が軟質合成樹脂又は軟質合成ゴムからなり（材質は問わない）、図８乃至１０に示すように、浅い碗形に形成された吸着部１８の上部に胴部１９が一体形成され、該胴部１９の上部に取付部２０が取り付けられた構成からなる。
【００２８】
そして、取付部２０の上面には図１０に示すように略球状の切欠凹部２０ａが形成されており、この切欠凹部２０ａ内に、前記クリップ１１の突出部１７の下部先端部１７ａが収納されている。この突出部１７の下部先端部１７ａは略球状に形成されており、前記略球状の切欠凹部２０ａ内に収納された状態で該切欠凹部２０ａと略全面で接触している。
【００２９】
従って、ともに略球状に形成された突出部１７の下部先端部１７ａが取付部２０の切欠凹部２０ａ内に略全面で接触するように収納されていることで、クリップ１１は吸盤１２に対して傾倒自在となるように取り付けられていることとなる。
【００３０】
次に、上記のようなホルダーボディ１とホルダーアタッチメント２からなるウィッグホルダーを用いてウィッグを装着する場合について説明するが、それに先立ち、装着するウィッグの構成について説明する。
【００３１】
本実施形態のウィッグホルダーに装着されるウィッグは、部分ウィッグとして使用されるもので、図１１に示すように、ベース２１と毛髪２２とで構成されている。
毛髪２２は、全体が人毛で構成されている。またベース２１は、図１１に示すように、大きさが異なる１対の基材２３ａ、２３ｂと、該１対の基材２３ａ、２３ｂに同方向に掛け渡された複数の紐材２４とで構成されている。基材２３ａ、２３ｂは、ポリアミド、ポリエステル等の合成繊維を素材として網状の生地からなるもので、必要に応じてバインダー等を混合して、前記複数の紐材２４を掛け渡すことのできる程度の所定の硬さに形成されている。紐材２４は、図１１では図示されていないが、ポリエステルからなる芯材に、綿の被覆材で被覆して構成され、水分、湿気等によって膨潤、収縮しうるように構成されている。
【００３２】
本実施形態では６本の紐材２４が前記基材２３ａ、２３ｂに掛け渡されている。また、これら６本の紐材２４に横断するように１本の紐材２４が設けられている。この横断する紐材２４は、その両端が一方の基材２３ａに取り付けられている。さらに、前記基材２３ａ、２３ｂには、それぞれ左右に１対の固定ピン２５、２５が取り付けられている。従って、ベース２１の全体としては、計４個の固定ピン２５が具備されていることになる。この固定ピン２５、２５には、使用者の毛髪に取付可能な櫛状部２６が形成されている。
【００３３】
そして、このような構成からなるウィッグ２７を前記ウィッグホルダーに取り付ける場合には、先ずウィッグ２７をホルダーボディ１の上面に装着する。より具体的には、ウィッグ２７の４個の固定ピン２５を、ホルダーボディ１の前部側及び後部側の固定ピン挿入孔９ａ、９ａ、９ｂ、９ｂに挿入すると、固定ピン挿入孔９ａ、９ａ、９ｂ、９ｂからの固定ピン２５の抜け出しが禁止され、ウィッグ２７がホルダーボディ１に固定された状態で装着されることとなる。
【００３４】
次に、図１２及び図１３に示すように、ホルダーボディ１をホルダーアタッチメント２に取り付ける。具体的には、４個のホルダーアタッチメント２を準備し、該ホルダーアタッチメント２のクリップ１１の挟持片１３ａ、１３ｂを開いて該挟持片１３ａ、１３ｂの先端部１５ａ、１５ｂを、ホルダーボディ１のクリップ挿入孔１０ａ、１０ｂ、１０ｃ、１０ｄに挿入する。計４個のホルダーアタッチメント２の挟持片１３ａ、１３ｂの先端部１５ａ、１５ｂをそれぞれクリップ挿入孔１０ａ、１０ｂ、１０ｃ、１０ｄに挿入することで、図１２及び図１３に示すようにホルダーボディ１がホルダーアタッチメント２に取り付けられることとなる。
【００３５】
この場合において、挟持片１３ａ、１３ｂの下部側を内向きに押圧することで、挟持片１３ａ、１３ｂの先端部１５ａ、１５ｂはバネ１４の弾発力に抗して離間し、
押圧を解除することでバネ１４の弾発力で先端部１５ａ、１５ｂは復元して元のように相互に接触した状態となる。このようにして、挟持片１３ａ、１３ｂの先端部１５ａ、１５ｂを前記クリップ挿入孔１０ａ、１０ｂ、１０ｃ、１０ｄに挿入させることができるとともに、挟持片１３ａ、１３ｂの先端部１５ａ、１５ｂがクリップ挿入孔１０ａ、１０ｂ、１０ｃ、１０ｄから離脱することもない。
【００３６】
尚、クリップ挿入孔１０ａ、１０ｂ、１０ｃ、１０ｄは、ホルダーボディ１の４箇所に形成されているが、これに挿入して取り付けるホルダーアタッチメント２は上記のように４個使用する必要は必ずしもなく、たとえば２個のホルダーアタッチメント２を、対向する２箇所の位置のクリップ挿入孔１０ａ、１０ｂに挿入して使用してもよく、或いはクリップ挿入孔１０ｃ、１０ｄに挿入して使用することも可能である。
予めホルダーボディ１の上面に装着されたウィッグ２７は、図１２及び図１３の２点鎖線で示されている。
【００３７】
次に、上記のようにウィッグ２７が装着されたホルダーボディ１をホルダーアタッチメント２に取り付けた後、ホルダーアタッチメント２の吸盤１２の吸着部１８を、図１２及び図１３に示すように接地面２８に吸着させる。これによってホルダーアタッチメント２は接地面２８上に確実に固定されて位置決めされることとなる。この接地面としては、たとえば洗面所等が利用される。
【００３８】
この場合において、前記ホルダーボディ１は、その全体が上述のように浅い碗形に形成されていて、該ホルダーボディ１の周縁部が斜めに形成されているのに対し、ホルダーアタッチメント２のクリップ１１は吸盤１２からほぼ真っ直ぐな状態で立設されているため、そのままの状態では、ホルダーアタッチメント２の吸盤１２を
接地面２８に吸着させる作業が必ずしも容易に行なえない。
【００３９】
しかしながら、本実施形態では、ホルダーボディ１の全体が軟質合成樹脂であるポリプロピレンで構成され、可撓性を有しているため、クリップ１１を真っ直ぐに
立設させた状態で吸盤１２を接地面２８に吸着させる際に、クリップ１１の立設方向に合うようにホルダーボディ１の周縁部を撓ませることが可能となる。従って、ホルダーボディ１に取り付けられたクリップ１１がホルダーボディ１から不用意に離脱することもないのである。
【００４０】
一方、ホルダーアタッチメント２については、クリップ１１の突出部１７の下部先端部１７ａが、吸盤１２の取付部２０の切欠凹部２０ａ内に収納されており、それぞれが略球状に形成されて略全面で接触しているため、クリップ１１は吸盤１２に対して傾倒自在であり、従って、ホルダーボディ１の周縁部に沿って、クリップ１１を吸盤１２に対してある程度傾倒させることができ、それによって、接地面２８への吸盤１２の吸着作業に支障を生じさせることもないのである。
【００４１】
また、クリップ１１を吸盤１２に対してある程度傾倒させることで、ホルダーボディ１の周縁部に無理のない状態で取り付けることができ、従って、ホルダーボディ１の周縁部をある程度撓ませていても、可撓性のあるホルダーボディ１の反作用を受けてクリップ１１に大きな力がかかることもなく、その結果、吸盤１２が接地面２８から不用意に離脱するようなこともないのである。
【００４２】
上述のようにウィッグ２７がホルダーボディ１に固定して装着された状態で、たとえば乾燥等の作業を行なうことができる。すなわち、上記のようにホルダーボディ１をホルダーアタッチメント２に取り付け、ホルダーアタッチメント２の吸盤１２を接地面２８に吸着させたウィッグホルダーは、洗浄後のウィッグ２７を、ドライヤー等により乾燥させるような作業を行なう場合に、ウィッグ２７の保持用として使用することができる。
【００４３】
この場合において、ホルダーアタッチメント２のクリップ１１がホルダーボディ１から不用意に離脱するおそれがなく、また吸盤１２が接地面２８から不用意に離脱するおそれがないので、ホルダーボディ１及びホルダーアタッチメント２からなるウィッグホルダーは、接地面の所定位置に確実に固定され、上記のようなドライヤー等を用いた乾燥作業を容易且つ確実に行なうことができるのである。
【００４４】
一方、上記のような乾燥作業等を行なわない場合、或いは使用者がウィッグ２７
を着用していない場合には、図１４に示すように、ウィッグ２７は、ホルダーボディ１及びホルダーアタッチメント２とともにウィッグケース２９内に収納することができる。
【００４５】
この場合において、ホルダーボディ１の上面にウィッグ２７を装着することができるとともに、ホルダーボディ１の下面側の凹部３は、ホルダーアタッチメント２を収容しうるようなスペースを有して形成されているため、接地面２８の上方へ所定寸法隔てた位置にホルダーボディ１を接地すべく、該ホルダーボディ１を取り付けるために用いられていたホルダーアタッチメント２を、ホルダーボディ１とともにウィッグケース２９内に収納することができる。
【００４６】
従って、乾燥作業等を行なう際にはホルダーボディ１とホルダーアタッチメント２とを組み立てて一定の体積を有して乾燥作業等の便宜を図れる一方で、保管時においてはホルダーボディ１をホルダーアタッチメント２から取り外して分解し、ウィッグ２７とともにコンパクトな状態にしてウィッグケース２９内に収納することができるので、従来のように乾燥等の際に用いられていた大きなホルダーを準備する必要もなく、また乾燥等用と保管用との２種類のホルダーを準備する必要もなく、
上記のようなホルダーボディ１とホルダーアタッチメント２とからなる１種類のウィッグのみを用いて乾燥等用と保管用との双方に使用することが可能となった。
【００４７】
尚、上記実施形態では、ホルダーボディ１の全体が下向きに湾曲する湾曲面を有する浅い碗形に形成されていたが、ホルダーボディ１の形状は該実施形態に限定されるものではない。要は、ウィッグ２７の裏面側に装着してウィッグを保持することができる湾曲面を有し、且つウィッグ２７を保持した状態で該ウィッグ２７とともにウィッグケース２９に収納可能な大きさに形成されていればよいのである。
【００４８】
また該実施形態では、ホルダーボディ１の全体が軟質合成樹脂であるポリプロピレンで構成されていたが、ホルダーボディ１の材質も該実施形態に限定されるものではなく、たとえばポリエチレンやポリエステル等で構成することも可能である。ただし、薄くても強度があり、ヘアカラーやパーマ剤の薬剤耐性があり、ドライヤーの熱にも耐えられる点から、ポリプロピレンを用いるのが望ましい。特に、ウィッグ２７の構成部材において、人毛が抜けにくくなる紐を使うと、洗浄すると紐自体が縮んでしまうことがあり、紐を縮ませず、ウィッグの形を維持させるため、そのような場合には、ホルダーに強度が必要となる。この観点からもホルダーボディ１の素材としてポリプロピレンが好適に使用される。
さらに、ホルダーボディ１の厚みも上記実施形態に限定されるものではない。
【００４９】
さらに本発明においては、ホルダーアタッチメント２を取り付ける際の便宜から、ホルダーボディ１が可撓性を有していることを主眼とするが、このことは本考案に必須の条件ではない。たとえばホルダーボディ１を撓ませなくても、ホルダーボディ１のホルダーアタッチメント２への取り付けができ、接地面から離脱しなければ
ホルダーボディ１は可撓性を有しない素材であってもよい。
【００５０】
さらに上記実施形態では、クリップ１１が吸盤１２に対して傾倒自在となるように構成したため、上記のような好ましい効果が得られたが、クリップ１１が吸盤１２に対して傾倒自在となるように構成することは本考案に必須の条件ではない。
【００５１】
さらに上記実施形態では、ホルダーアタッチメント２がクリップ１１と吸盤１２とで構成されていたが、ホルダーアタッチメント２の構成は該実施形態に限定されるものではない。要は、ホルダーボディ１に着脱自在に取り付けることのできるホルダーボディ取付部と、該ホルダーボディ取付部とは反対側に設けられて、被接地面に着脱自在に固定することのできる接地面固定部とを有して構成されていればよい。ホルダーボディ取付部としては上記実施形態のクリップ１１以外のものを用いることも可能であり、接地面固定部としては上記実施形態の吸盤１２以外のものを用いることも可能である。たとえば、ホルダーボディ取付部や接地面固定部に磁石のようなものを用いることも可能である。この場合には、ホルダーボディ１としてはたとえば金属製のものが用いられる。
【００５２】
さらに上記実施形態では、ホルダーボディ１が、中央部形成片４と縁部形成片５ａ、５ｂとで構成され、縁部形成片５ａ、５ｂの先端側に、差込片７ａ、７ｂが形成され、その差込片７ａ、７ｂが挿入可能な切込８ａ、８ｂが、中央部形成片４の所定位置に形成されて、縁部形成片５ａ、５ｂと中央部形成片４とを湾曲させつつ、縁部形成片５ａ、５ｂの差込片７ａ、７ｂを中央部形成片４の切込８ａ、８ｂに差し込むことによって、浅い碗形のホルダーボディ１が形成されるように構成されていたが、これらホルダーボディ１の各部の構成は上記実施形態に限定されるものではなく、本考案の意図する範囲内で任意に変更可能である。
【００５３】
たとえば図１５に示すように、縁部形成片５ａ、５ｂの先端部の手前側に、前記
差込片７ａ、７ｂの突出方向とは逆方向に向く切込３２ａ、３２ｂを介して別の差込片３０ａ、３０ｂが縁部形成片５ａ、５ｂに形成され、この差込片３０ａ、３０ｂが挿入可能な挿入孔３１ａ、３１ｂを前記中央部形成片４に形成することも可能である。この場合には、上記差込片７ａ、７ｂを切込８ａ、８ｂに差し込むだけでなく、差込片３０ａ、３０ｂを挿入孔３１ａ、３１ｂに挿入されるため、縁部形成片５ａ、５ｂが中央部形成片４から離脱するのがより確実に禁止されることとなる。
【００５４】
さらに、このような中央部形成片４と縁部形成片５ａ、５ｂとを組み立てるような構成のものに限らず、たとえば図１６乃至図１８に示すように、当初から全体を
碗形に形成したようなものであってもよい。この場合には、固定ピン挿入孔９ａ、９ｂは、上記実施形態のように中央部形成片４と縁部形成片５ａ、５ｂとの組み立てによって形成されるのではなく、当初からホルダーボディ１に孔を穿設することによって形成される。
【００５５】
従って、図１６乃至図１８の実施形態では、ホルダーボディ１を碗形に成形しなければならないので、上記実施形態のようにシート状に形成されたものを所望形状に打ち抜き、切り抜き等により形成する場合に比べると、製作作業が煩雑になる。
すなわち上記実施形態においては、図７や図１５の展開状態に示すように、ホルダーボディ１が当初はシート状の形態のものであるので、多少複雑な形状であっても打ち抜き、切り抜き等により容易に加工することができ、図１６乃至図１８の実施形態のように碗形に成形する等の煩雑な作業が不要となり、加工、製作が容易となる。
【００５６】
さらに上記実施形態では、固定ピン挿入孔９ａ、９ｂをホルダーボディ１の前部側及び後部側の左右に１対ずつ計４個形成したが、固定ピン挿入孔の数も該実施形態の４個に限定されるものではなく、ウィッグ２７に設けられた固定ピン２５の数に応じて変更可能である。たとえば固定ピン２５が３個であれば、固定ピン挿入孔の数も３個とすることができる。
【００５７】
さらに上記実施形態では、クリップ挿入孔１０ａ、１０ｂ、１０ｃ、１０ｄをホルダーボディ１に４個形成したが、クリップ挿入孔の数も該実施形態の４個に限定されるものではなく、たとえば２個或いは３個等であってもよい。
【００５８】
また上記実施形態では、クリップ挿入孔１０ａ、１０ｂ、１０ｃ、１０ｄにクリップ１１の挟持片１３ａ、１３ｂの先端部１５ａ、１５ｂが挿入されるように構成したが、このようなクリップ挿入孔１０ａ、１０ｂ、１０ｃ、１０ｄをホルダーボディ１に形成することは本考案に必須の条件ではない。
【００５９】
上記図１６乃至図１８の実施形態では、クリップ挿入孔１０ａ、１０ｂ、１０ｃ、１０ｄが形成されておらず、従って、クリップ１１がホルダーボディ１の縁部に直接挟持されることとなる。ただし、この場合はクリップ１１がホルダーボディ１から滑って離脱するおそれもあり、上記実施形態のように挟持片１３ａ、１３ｂの先端部１５ａ、１５ｂをクリップ挿入孔１０ａ、１０ｂ、１０ｃ、１０ｄに挿入する方が、ホルダーボディ１からのクリップの離脱をより確実に防止できるという効果がある。
【００６０】
さらに、本考案のウィッグホルダーで保持されるウィッグ２７の形態も図１１に示すものに限定されず、任意の形状のものを使用することができる。また、この実施形態では、毛髪２２が人毛で構成されていたが、化学繊維で構成されたウィッグに本考案を適用することも可能である。ただし、上記乾燥作業などは、人毛で構成されたウィッグに要求されることが多く、従って本考案のウィッグホルダーも、人毛で構成されたウィッグを保持する場合に用いる実益がある。
【００６１】
さらに、上記実施形態では、ホルダーボディ１の下面側に形成された凹部３内にホルダーアタッチメント２が収容しうるようなスペースを有して凹部３が形成されていたが、このようにホルダーボディ１の凹部３内にホルダーアタッチメント２を収容することは本考案に必須の条件ではない。たとえば接地面２８に吸着させたままの状態で放置しておいてもよい。ホルダーアタッチメント２は小さいので、洗面所の鏡などに吸盤１２を介して吸着させ、そのまま放置しておいても目立たないし、場所をとることもない。
【００６２】
さらに、ホルダーアタッチメント２の接地面も洗面所の鏡などに限らず、ウィッグの乾燥作業等を行いうるようなあらゆる場所に接地することができる。
【図面の簡単な説明】
【００６３】
【図１】一実施形態のウィッグホルダーのホルダーボディを示す平面図。
【図２】同ホルダーボディの側面図。
【図３】同ホルダーボディの正面図。
【図４】同ホルダーボディの背面図。
【図５】図１のＡ−Ａ線断面図。
【図６】図１のＢ−Ｂ線断面図。
【図７】ホルダーボディの展開状態を示す平面図。
【図８】ホルダーアタッチメントの正面図。
【図９】同側面図。
【図１０】同背面図。
【図１１】ウィッグホルダーに装着されるウィッグの概略平面図。
【図１２】ホルダーボディをホルダーアタッチメントに取り付けた状態の側面図。
【図１３】ホルダーボディをホルダーアタッチメントに取り付けた状態の正面図。
【図１４】ホルダーボディ及びホルダーアタッチメントをウィッグとともにウィッグケースに収納した状態の断面図。
【図１５】他実施形態のホルダーボディの展開状態を示す平面図。
【図１６】他実施形態のホルダーボディの平面図。
【図１７】同側面図。
【図１８】同正面図。
【符号の説明】
【００６４】
１…ホルダーボディ          ２…ホルダーアタッチメント
１１…クリップ            １２…吸盤
２７…ウィッグ
【図１】
0003117707.tif 000003
【図２】
0003117707.tif 000004
【図３】
0003117707.tif 000005
【図４】
0003117707.tif 000006
【図５】
0003117707.tif 000007
【図６】
0003117707.tif 000008
【図７】
0003117707.tif 000009
【図８】
0003117707.tif 000010
【図９】
0003117707.tif 000011
【図１０】
0003117707.tif 000012
【図１１】
0003117707.tif 000013
【図１２】
0003117707.tif 000014
【図１３】
0003117707.tif 000015
【図１４】
0003117707.tif 000016
【図１５】
0003117707.tif 000017
【図１６】
0003117707.tif 000018
【図１７】
0003117707.tif 000019
【図１８】
0003117707.tif 000020